(57)【要約】【課題】  紙巻器を使用するときに片手のみで操作することができ使い勝手がよい紙巻器を提供することを可能にする。【解決手段】  紙巻器１０は、紙巻器基部１２に上蓋２０を取付けると共に巻紙１３を支える支軸１４、１４を取付け、この支軸１４、１４で支えた巻紙１３を基部上面１５の下に備えた上蓋２０の前縁部２１の刃２２で適宜の長さに切断することができるものである。上蓋２０は、紙巻器基部１２に上下動不能に固定する又は高トルクでのみ上下動可能に取付ける。支軸１４、１４は、支軸基部１８、１８側をケース３０、３０内に設ける。  ケース３０、３０は、ケース下部３１、３１に上蓋２０側へ移動する弾発部材３２、３２を備え、この弾発部材３２、３２の弾性力を支軸１４、１４を介して巻紙１３を上蓋２０側へ常時付勢するように構成した。【選択図】      図２
2005230106.tif 000002
【特許請求の範囲】
【請求項１】
壁に固定する紙巻器基部に、上蓋を取付けると共に巻紙を支える支軸を取付け、この支軸で支えた巻紙を前記上蓋の前縁部で適宜の長さに切断することができる紙巻器において、
前記上蓋は、紙巻器基部に上下動不能に固定する又は高トルクでのみ上下動可能に取付け、
前記支軸は、上蓋側へ移動する弾発部材を備え、巻紙を上蓋側へ常時付勢するように構成したことを特徴とする紙巻器。
【請求項２】
壁に固定する紙巻器基部に、上蓋を取付けると共に巻紙を支える支軸を取付け、この支軸で支えた巻紙を前記上蓋の前縁部で適宜の長さに切断することができる紙巻器において、
前記上蓋は、紙巻器基部に上下動不能に固定する又は高トルクでのみ上下動可能に取付け、
前記支軸自体が上蓋側へ弾発するトーションばねであって、巻紙を上蓋側へ常時付勢するように構成したことを特徴とする紙巻器。
【発明の詳細な説明】
【技術分野】
【０００１】
本発明は、トイレットぺーパーに代表される巻紙を支える紙巻器に関するものである。
【背景技術】
【０００２】
水洗式トイレの普及に伴って、水溶性の巻紙が使用され、この巻紙を支える紙巻器（ペーパーホルダとも呼ばれる。）が、トイレルームの壁に常備される様になってきた。  
【０００３】
紙巻器は、壁に固定する紙巻器ケースに、巻紙を支える支軸及び上下スイング可能に蓋を取付け、この蓋を巻紙の上に載せる構造のものが広く採用されている。
トイレ利用者は、一方の手で巻紙を必要長さ引出し、他方の手で蓋を押え、この蓋の先端で巻紙を切断する如くに両手で巻紙及び紙巻器を操作する。
【０００４】
しかし、片手が不自由であるトイレ利用者が、従来の紙巻器を利用しようとすると、蓋が宙に浮いて巻紙が切断できないという不都合が発生する。
そこで、片手のみで操作可能な紙巻器が求められ、この要望に応える提案がなされている。（例えば、特許文献１）。
【特許文献１】登録実用新案第３０６１３２９号公報（第６頁、図２、第９頁、図５）
【０００５】
特許文献１を次図に基づいて説明する。
図１４は従来の技術の基本構成を説明する図であり、ロール紙ホルダ１００は、２枚のホルダ側片１０１、１０１（向って手前側は図示せず。）間にロール軸１０２を起伏可能で水平自己復帰するように備え、このロール軸１０２で支えたロール紙１０３及びロール紙引出し部１０４と、ロール紙１０３上部に備えたカバー１０５及び刃先１０６と、カバー１０５をヒンジ部に有る枢支部１０７で回転自在に支え、この枢支部１０７から手前に延びたカバー突片１０８とその枢支部１０９と、ホルダ側片１０１の内面下部に備えた枢支部１１０と、これら枢支部１０７及び１１０の間に備えたシリンダ１１１、引きばね１１２、ピストン１１３と、引きばね１１２の両端に備えた可動フック１１４及び固定フック１１５とから構成したものである。
【０００６】
引きばね１１２の引き作用で、ピストン１１３は上昇し、この結果、枢支部１０９を中心にカバー１０５が反時計廻りに回転するため、カバー１０５が閉じる心配はない。
【０００７】
図１５はロール紙を実際に切取る場合の作用図であり、図１２の状態でロール紙１０３を取付け、カバー１０５を倒し、刃先１０６をロール紙１０３の上部に接触させると、カバー１０５の動きに連動して、枢支部１０７、１０９、１１０が連動し、シリンダ１１１を左に傾かせ、可動フック１１４で引きばね１１２を引張る状態を示す。
この状態では、カバー１０５が引きばね１１２の引き作用でロール紙１０３を抑えているので、片手でロール紙引出し部１０４を刃先１０６から斜め上方に引いて上動することで切取ることができる。
【０００８】
ところで、図１４に戻って、ロール紙１０３を補充するのであれば、カバー１０５は手で想像線で示す程度に上げれば済むはずである。しかし、想像線で示すカバー１０５では、枢支部１０７及び枢支部１０９が図１３に近い位置関係にあるため、手を離すと時計廻り回転し、閉じてしまう。そこで、カバー１０５を図１２に倣って、大きく上げなければならない。
すなわち、引用文献１の構造では、ロール紙１０３を補充する際に、必要以上にカバー１０５を上げる必要があり、使い勝手は良くない。
【発明の開示】
【発明が解決しようとする課題】
【０００９】
本発明は、紙巻器を使用するときに片手のみで操作することができ且つ使い勝手のよい紙巻器を提供することを課題とする。
【課題を解決するための手段】
【００１０】
請求項１に係る発明は、壁に固定する紙巻器基部に、上蓋を取付けると共に巻紙を支える支軸を取付け、この支軸で支えた巻紙を上蓋の前縁部で適宜の長さに切断することができる紙巻器において、
上蓋は、紙巻器基部に上下動不能に固定する又は高トルクでのみ上下動可能に取付け、
支軸は、上蓋側へ移動する弾発部材を備え、巻紙を上蓋側へ常時付勢するように構成したことを特徴とする。
【００１１】
上蓋は、上下動不能に固定する又は高トルクでのみ上下動可能に取付ける。すなわち、巻紙を交換するときは、上蓋を一旦上方に上げ巻紙を支軸に取付けた後に、上蓋を下方へ下げ巻紙の上部を押え込んで巻紙を固定する。
また、巻紙の使用状態では、上蓋は常に巻紙を上から押えている。
【００１２】
支軸は、弾発部材を備え、巻紙を取付けている状態では常に上蓋側に付勢する。すなわち、巻紙を交換するときは、弾発部材を最も伸びきった状態にして巻紙を取付け、上蓋で巻紙を押えて弾発部材を縮め、巻紙の取付け完了とする。その後、巻紙の使用状態では、上蓋からの押えもあり、弾発部材を縮めた状態で使用するが、巻紙の巻数が少なくなるに連れて弾発部材が伸びる。
【００１３】
この結果、巻紙は、上蓋と支軸の相互作用（上下より押えること）により、巻紙の取替えと固定、巻紙の巻数の減少に円滑に対応して切断することができると共に、巻紙の使用状態で安定感を維持できる。
特に、巻紙の補充に際しては、蓋を巻紙に当たらない程度に上げるだけで済み、蓋を必要以上に上げることは不要である。
したがって、請求項１によれば、紙巻器を使用するときに片手のみで操作することができ使い勝手がよい紙巻器を提供することができる。
【００１４】
請求項２に係る発明は、壁に固定する紙巻器基部に、上蓋を取付けると共に巻紙を支える支軸を取付け、この支軸で支えた巻紙を前記上蓋の前縁部で適宜の長さに切断することができる紙巻器において、
上蓋は、紙巻器基部に上下動不能に固定する又は高トルクでのみ上下動可能に取付け、
支軸自体が上蓋側へ弾発するトーションばねであって、巻紙を上蓋側へ常時付勢するように構成したことを特徴とする。
【発明の効果】
【００１５】
請求項１に係る発明では、上蓋は上下動不能に固定する又は高トルクでのみ上下動可能としたので、巻紙の上面を押えることができ、また、支軸は上蓋側へ移動する弾発部材を備えたので、巻紙を常に上蓋側に付勢し、巻紙の巻数の変化に対応することができる。
したがって、請求項１によれば、紙巻器を使用するときに片手のみで操作することができ、特に巻紙の補充が容易であって使い勝手がよい紙巻器を提供することができる。
【００１６】
請求項２に係る発明では、上蓋は請求項１と同様であるので、巻紙の上面を押えることができる。また、支軸はトーションばねであるために、巻紙の使用時に巻紙を上蓋側に付勢することができる。
特に支軸は、巻紙交換時に、円滑に巻紙の巻胴と支軸の先端の脱着を可能にすることができるという利点がある。
【発明を実施するための最良の形態】
【００１７】
本発明を実施するための最良の形態を添付図に基づいて以下に説明する。なお、図面は符号の向きに見るものとする。
図１は本発明に係る紙巻器の斜視図であり、紙巻器１０は、壁１１に固定する紙巻器基部１２に、巻紙１３を支える支軸１４（図示せず。）及び上蓋２０を取付け、この上蓋２０を巻紙１３の上部に載せる形式の構造物である。
【００１８】
図２は図１の縦断面図であり、紙巻器１０は、紙巻器基部１２に上蓋２０を取付けると共に巻紙１３を支える支軸１４、１４を取付け、この支軸１４、１４で支えた巻紙１３を基部上面１５の下に備えた上蓋２０の前縁部２１の刃２２で適宜の長さに切断することができるものである。上蓋２０は、紙巻器基部１２に上下動不能に固定する又は高トルクでのみ上下動可能に取付けるが、そのための具体的な構造例は後述する。
支軸１４、１４は、巻胴１６の巻胴上面部１７を介して巻紙１３を支持し、支軸１４、１４の支軸基部１８、１８側をケース３０、３０内に設ける。
【００１９】
ケース３０、３０は、ケース下部３１、３１に上蓋２０側へ移動する弾発部材３２、３２を備え、この弾発部材３２、３２の弾性力を支軸１４、１４を介して巻紙１３を上蓋２０側へ常時付勢するように構成した。巻紙１３の交換時では、弾発部材３２、３２は、結合部３３、３３を介して結合したスライダ３４、３４をレール３５、３５に沿って動かし、ピン３６、３６を軸として動く支軸１４、１４を溝３７、３７を介して上方に回転させる。
【００２０】
図３は図２の３−３線断面図であり、ケース３０の内部を理解し易いように図示したものである。支軸１４は、スライダ３４と、このスライダ３４が動くレール３５と、スライダ３４の長手方向に渡したピン３６とから支持され、溝３７を介して上方（図３の手前側）に動く。
【００２１】
図４は図１の断面図であり、紙巻器１０は、壁１１に紙巻器基部１２の基部裏面１９をねじ４１、４２で固定し、巻紙１３の巻胴１６の巻胴上面部１７を支軸１４で支え、巻紙１３の上面に上蓋２０の前縁部２１の刃２２を押し当てた状態で巻紙１３を保持する。
なお、上蓋２０は、ロータリーダンパー２３を用いて蓋基部２４にダンパー軸２５を介して固定する。
【００２２】
図５は図４の５矢視図であり、ロータリーダンパー２３、２３周辺の詳細を説明するための図である。
ロータリーダンパー２３、２３は、紙巻器基部１２、１２の内部の収納部２６、２６に、上蓋２０の横幅より長く蓋基部２４の両側に連なったダンパー軸２５、２５を介して回転部２７、２７を取付け、この回転部２７、２７と収納部２６、２６の内壁の間に高粘性流体、例えばグリース２８、２８を注入することにより構成する。
【００２３】
ロータリーダンパー２３、２３は、ダンパー軸２５、２５に作用するトルクが一定値未満であれば、収納部２６、２６が固定されているので、ダンパー軸２５、２５が回転不能となる。
一方、ダンパー軸２５、２５に作用するトルクが一定値以上の場合は、収納部２６、２６と回転部２７、２７との間で滑りが発生して、ダンパー軸２５、２５と回転部２７、２７とが一体的に回転する。
【００２４】
したがって、このロータリーダンパー２３、２３は、巻紙１３を交換するときに上蓋２０を上方（図５の手前側）で一旦止めることができる。
また、ロータリーダンパー２３、２３は、巻紙１３を支軸１４、１４に取付けて巻紙１３を使用するときに、上方より巻紙１３を上蓋２０の前縁部２１で押えることに寄与する。
その他、図５中の符号については、すでに説明済みであるので細かい説明を省略する。
【００２５】
次に本発明の紙巻器１０の作用を説明する。
図６は巻紙を支軸に取付ける過程を示す作用図である。
（ａ）は上蓋２０を矢印Ａの如く上げ、新しい巻紙１３を矢印Ｂの如く支軸１４に取付ける初期で、ケース３０内部にある弾発部材３２が一番伸びきった状態で、スライダ３４及びスライダ３４にピン３６を介して結合する支軸１４を共に押上げた状態を示す。
このときの弾発部材３２の長さｔ１は紙巻器１０において最も長い。
【００２６】
（ｂ）は巻紙１３の巻胴１６を支軸１４に嵌め込むために、巻紙１３で支軸１４を（ａ）の状態からピン３６の回転を使って９０°上方へ回転させた状態を示す。
このときの弾発部材３２の長さｔ２はｔ１と同じである。また、上蓋２０はロータリーダンパー２３により、上方位置で止めることができる。
【００２７】
（ｃ）は上蓋２０を矢印Ｃの如く下ろし、巻紙１３を支軸１４に完全に取付ける直前の状態を示す。
支軸１４は、（ｂ）の状態から巻紙１３をさらに上方へ上げることにより、スライダ３４に連結するピン３６を回転軸として９０°回転して内側に倒れ、巻紙１３の巻胴１６の上部に収まる。
このとき、弾発部材３２は、巻紙１３の重さで支軸１４が押されることにより若干縮む（ｔ３＜ｔ１、ｔ２）。しかし、まだ上蓋２０で巻紙１３の上方から押えてないので、巻紙１３は完全に取付けられていない。
【００２８】
図７は巻紙を切取る段階と巻紙の巻数が少なくなった場合の弾発部材の状態を示す作用図である。
（ａ）は上蓋２０の前縁部２１及び刃２２と巻紙１３の上面部４３が接触し、上蓋２０がロータリーダンパー２３により巻紙１３を上方より押えた巻紙１３の取付け完了状態を示す。４４は巻紙の先端部である。
このとき、弾発部材３２は、上蓋２０と上蓋２０に押された巻紙１３及び支軸１４により押され長さｔ４となる。このｔ４は図６（ｃ）で示したｔ３より小さくなる。
【００２９】
（ｂ）は巻紙１３の巻紙の先端部４４を矢印Ｄの如く引き、矢印Ｅの如く上へ動かし、上蓋２０の刃２２で矢印Ｆの如く切取る状態を示す。
このとき、弾発部材３２は、上蓋２０の上から押える力と弾発部材３２の弾性力により長さｔ５となる。このｔ５は、弾発部材３２の弾性力が上蓋２０の上から押える力に勝り、巻紙１３を上蓋２０側へ押付けるために（ａ）のｔ４よりわずかに長くなる。すなわち、弾発部材３２の弾性力とロータリーダンパー２３を使用した上蓋２０の押える力は、巻紙の先端部４４の切取りを円滑に進めることに寄与する。
【００３０】
（ｃ）は巻紙１３の巻数が少なくなった場合の弾発部材３２の状態を示す。
巻紙１３の巻数が少なくなると、上蓋２０がロータリーダンパー２３の影響で水平位置を維持しているため、弾発部材３２は上方へ伸び、支軸１４を押上げる。すなわち、長さｔ６は（ａ）及び（ｂ）のｔ４、ｔ５より大きくなる。
【００３１】
上蓋２０は上下動不能に固定する又は高トルクでのみ上下動可能としたので、巻紙１３の上面を押えることができ、また、支軸１４は上蓋２０側へ移動する弾発部材３２を備えたので、巻紙１３を常に上蓋２０側に付勢し、巻紙１３の巻数の変化に対応することができる。
したがって、紙巻器１０を使用するときに片手のみで操作することができ使い勝手に優れている。
【００３２】
図８は図４の蓋基部近傍の別実施例を示す図であり、紙巻器７０の蓋駆動部７１は、上蓋７２の蓋基部７３に取付けた支軸７４に備えたギヤ７５と、図示しない基部裏面上部にフリクション材７６を介して取付けた軸７７に備えた爪７８とからなる構成である。
７９はギヤ７５の一つの刃凹部と爪７８の先端部とが嵌合した嵌合部である。
【００３３】
図９は巻紙を支軸取付ける過程を示す作用図である。
（ａ）は爪７８をギヤ７５との嵌合部７９から矢印Ｇの如く上げ、新しい巻紙１３を矢印Ｈの如く支軸１４に取付ける初期で、ケース３０内部にある弾発部材３２が一番伸びきった状態で、スライダ３４及びスライダ３４にピン３６を介して結合する支軸１４を共に押上げた状態を示す。
このときの弾発部材３２の長さｔ７は紙巻器７０において最も長い。
【００３４】
（ｂ）は巻紙１３の巻胴１６を支軸１４に嵌め込んだ状態を示す。
このときの弾発部材３２の長さｔ８はｔ７と同じである。上蓋７２は巻紙の上面部８１で巻紙１３と接触しており、巻紙１３が上蓋７２を上方へ押上げている状態を示す。
また、爪７８はフリクション材７６の介入により上方位置で止まっている。この状態から爪７８を矢印Ｊの如く下方へ下げた後の作用を次の（ｃ）で説明する。
【００３５】
（ｃ）は上蓋７２を矢印Ｋの如くさらに押下げ、巻紙１３を支軸１４に完全に取付ける状態を示す。
支軸１４は、（ｂ）の状態から巻紙１３を上蓋７２によりさらに下方へ下げることにより、巻紙１３の巻胴１６の上部に収まる。
この状態では、爪７８をギヤ７５と嵌合部７９で嵌合させるので、矢印Ｌのように回転させることはできない。したがって、上蓋７２は固定されている。
このとき、弾発部材３２は、巻紙１３の重さと上蓋７２の押えで支軸１４が押されることにより縮む（ｔ９＜ｔ７、ｔ８）。
【００３６】
以上、紙巻器７０は、蓋基部７３に備えたギヤ７５とフリクション材７６を介して取付けた爪７８とを用いることにより、上蓋７２を上下動不能に固定することができる。
【００３７】
図１０は図１の別実施例を示す図であり、ただし、巻紙を省略した。紙巻器５０は、壁５１に固定する紙巻器基部５２に、巻紙１３（図示せず。）を支える支軸６０及び上蓋５３を取付け、この上蓋５３を図示しない巻紙１３の上部に載せる形式の構造物である。
なお、６１、６１は支軸先端部である。
【００３８】
図１１は支軸の詳細を説明する斜視図である。
（ａ）は支軸６０の外観を示す。支軸６０は、自体が図示しない上蓋５３側へ弾発するトーションばねであって、図示しない巻紙１３を上蓋５３側へ常時付勢する働きがある。
支軸先端部６１、６１を図示しない巻紙１３の巻胴１６に嵌め込むことによって巻紙１３を固定することができる。また、結合部６２は壁５１に溶接などの方法で結合する結合箇所である。
【００３９】
（ｂ）において、支軸６０と支軸先端部６１を持上げると、支軸６０の一部が矢印Ｍ１の如くねじれることで支軸先端部６１の上方への移動を許容する。持上げ力を解除すれば、支軸先端部６１は元の位置に戻る。下方への移動も同様である。
また、支軸先端部６１を右又は左にねじると、支軸６０の一部が矢印Ｍ２の如く弾性変形し、手をゆるめると支軸先端部６１は元へ戻る。
従って、支軸６０は全体としてトーションばねの作用を発揮する。
【００４０】
（ｃ）は支軸６０の回転を終え、支軸先端部６１が上方を向いた状態を示す。この状態で、支軸６０は図示しない巻紙１３を支軸先端部６１、６１間に差込んで、図示しない巻胴１６に支軸先端部６１、６１を嵌め込むことで巻紙１３の支軸６０への取付けを完了する。
【００４１】
図１２は巻紙を支軸に取付ける過程を示す作用図である。
（ａ）は上蓋５３を矢印Ｎの如く上げ、新しい巻紙１３を矢印Ｐの如く支軸６０に取付ける初期状態を示す。巻紙１３を取付ける前では、支軸６０が水平状態を維持しており、支軸先端部６１は水平方向に向く。
なお、紙巻器５０は壁５１に紙巻器基部５２の基部裏面５４をねじ５５、５６を用いて固定する。
【００４２】
（ｂ）は巻紙１３の巻胴１６を支軸６０に嵌め込むために、巻紙１３で支軸６０を（ａ）の状態から９０°上方へねじって、支軸先端部６１を上向きにした状態を示す。
このときの支軸６０の撓み量をｔ１０とする。また、上蓋５３はロータリーダンパー２３により、上方位置で止めることができる。
【００４３】
（ｃ）は上蓋５３を矢印Ｑの如く下ろし、巻紙１３を支軸６０に完全に取付ける直前の状態を示す。
支軸６０は、（ｂ）の状態から巻紙１３をさらに上方へ上げることにより、９０°ねじれて内側に倒れ、巻紙１３の巻胴１６の上部に収まる。
このとき、支軸６０は水平状態に戻るが、まだ上蓋５３で巻紙１３の上方から押えてないので、巻紙１３は完全に取付けられていない。
【００４４】
図１３は巻紙を切取る段階と巻紙の巻数が少なくなった場合の支軸の状態を示す作用図である。
（ａ）は上蓋５３の刃５８と巻紙１３の上面部４３が接触し、上蓋５３がロータリーダンパー２３により巻紙１３を上方より押えた巻紙１３の取付け完了状態を示す。４４は巻紙の先端部である。
このとき、支軸６０は、上蓋５３と上蓋５３に押された巻紙１３により押されｔ１１だけ撓んだ状態となる。ｔ１１は図１２のｔ１０より大きい。また、支軸６０はトーションバーであるために、自体も常に上方へ巻紙１３を付勢する。
【００４５】
（ｂ）は巻紙１３の巻紙の先端部４４を矢印Ｒの如く引き、矢印Ｓの如く上へ動かし、上蓋５３の刃５８で矢印Ｔの如く切取る状態を示す。
このとき、支軸６０は、上蓋５３の上から押える力と支軸６０の弾性力により長さｔ１２となる。このｔ１２は、支軸６０の弾性力で巻紙１３を上蓋５３側へ押付けるために（ａ）より支軸６０の元に戻ろうとする力が働き、（ａ）のｔ１１より小さく撓んだ状態となる。
すなわち、支軸６０の弾性力とロータリーダンパー２３を使用した上蓋５３の押える力は、巻紙の先端部４４の切取りを円滑に進めることに寄与する。
【００４６】
（ｃ）は巻紙１３の巻数が少なくなった場合の支軸６０の状態を示す。
巻紙１３の巻数が少なくなると、上蓋５３がロータリーダンパー２３の影響で水平位置を維持しているため、支軸６０は上方へ伸び巻紙１３を押上げる。すなわち、支軸６０は上蓋５３からの押す力もあり、ｔ１３だけの撓み量でも確実に巻紙１３を保持して、巻紙の先端部４４の切取りを行うことを可能にする。
【００４７】
支軸６０はトーションばねであるために、巻紙１３の使用時に巻紙１３を上蓋５３側に付勢することができる。
また、支軸６０は巻紙交換時に、円滑に巻紙１３の巻胴１６と支軸６０の支軸先端部６１、６１の脱着を可能にすることができる。
【００４８】
尚、本発明の紙巻器１０の弾発部材３２の材質は、ＪＩＳの硬鋼線、ピアノ線、ステンレス鋼線などを用いるが、場合によっては非鉄系としてりん青銅線、ベリリウム銅線、洋白線などを用いても良い。
【００４９】
また、トーションばねの役割をする支軸６０の材質は、ＪＩＳのばね鋼鋼材などを用いることが好ましい。
さらに、トーションばねである支軸６０の形状は、略コの字形状で両先端の垂直方向に巻紙１３の巻胴１６と嵌合する先端部を備えていれば良く、詳細を問わない。
【産業上の利用可能性】
【００５０】
本発明の紙巻器は、片手だけで操作可能なトイレットペーパーやキッチンペーパーなどの巻紙の紙巻器に好適である。
【図面の簡単な説明】
【００５１】
【図１】本発明に係る紙巻器の斜視図である。
【図２】図１の縦断面図である。
【図３】図２の３−３線断面図である。
【図４】図１の断面図である。
【図５】図４の５矢視図である。
【図６】巻紙を支軸に取付ける過程を示す作用図である。
【図７】巻紙を切取る段階と巻紙の巻数が少なくなった場合の弾発部材の状態を示す作用図である。
【図８】図４の蓋基部近傍の別実施例を示す図である。
【図９】巻紙を支軸取付ける過程を示す作用図である。
【図１０】図１の別実施例を示す図である。
【図１１】支軸の詳細を説明する斜視図である。
【図１２】巻紙を支軸に取付ける過程を示す作用図である。
【図１３】巻紙を切取る段階と巻紙の巻数が少なくなった場合の支軸の状態を示す作用図である。
【図１４】従来の技術の基本構成を説明する図である。
【図１５】ロール紙を実際に切取る場合の作用図である。
【符号の説明】
【００５２】
１０…紙巻器  、１２…紙巻器基部  、１３…巻紙  、１４…支軸  、２０…上蓋  、２１…前縁部  、２２…刃  、２３…ロータリーダンパー  、３０…ケース  、３２…弾発部材  、５０…紙巻器  、６０…支軸  、６１…支軸先端部  、  ７０…紙巻器  、  ７６…フリクション材。
【図１】
2005230106.tif 000003
【図２】
2005230106.tif 000004
【図３】
2005230106.tif 000005
【図４】
2005230106.tif 000006
【図５】
2005230106.tif 000007
【図６】
2005230106.tif 000008
【図７】
2005230106.tif 000009
【図８】
2005230106.tif 000010
【図９】
2005230106.tif 000011
【図１０】
2005230106.tif 000012
【図１１】
2005230106.tif 000013
【図１２】
2005230106.tif 000014
【図１３】
2005230106.tif 000015
【図１４】
2005230106.tif 000016
【図１５】
2005230106.tif 000017